(57)【要約】【課題】加熱と冷却の繰り返しに耐えられるライン照明装置を提供する。【解決手段】ライン照明装置１０は、アクリル樹脂などからなる導光体１１をポリカーボネイトなどからなる白色の導光体ケース１２に出射面１１ａが露出するように装填し、またケース１２の両端には光源として発光素子（例えば発光ダイオード）１３を導光体１１の端面に隙間なく当接する状態で取り付けている。前記ケース１２は長手方向に２分割され、それぞれの分割体１２ａ間に隙間１４を形成している。このように、隙間を形成することで、加熱冷却が繰り返された際に導光体１１が縮んでも隙間１４が形成されているため、ケースの分割体１２ａも導光体１１と一体的に縮み、導光体１１端面と発光素子１３との当接状態は維持されたままとなる。【選択図】　　図４
2004146870.tif 000002
【特許請求の範囲】
【請求項１】
ケース内に透光性導光体を収納し、長手方向両端部に設けた光源からの光を導光体内に導入し、導入した光を導光体内面で反射させながら長手方向へ導くとともに、長手方向に沿って形成した出射面から出射せしめるようにしたライン照明装置において、前記光源はケースに固着され、且つケースは長手方向に方向に分割されていることを特徴とするライン照明装置。
【請求項２】
請求項１に記載のライン照明装置において、前記分割されたケースは互いに摺動可能に印籠嵌合していることを特徴とするライン照明装置。
【請求項３】
ケース内に透光性導光体を収納し、長手方向両端部に設けた光源からの光を導光体内に導入し、導入した光を導光体内面で反射させながら長手方向へ導くとともに、長手方向に沿って形成した出射面から出射せしめるようにしたライン照明装置において、前記光源はケースに一体的に形成された弾発部によって導光体端面に圧接するように支持されていることを特徴とするライン照明装置。
【請求項４】
ケース内に透光性導光体を収納し、長手方向両端部に設けた光源からの光を導光体内に導入し、導入した光を導光体内面で反射させながら長手方向へ導くとともに、長手方向に沿って形成した出射面から出射せしめるようにしたライン照明装置において、前記光源のうち少なくとも一方は導光体の端面に直接固着されていることを特徴とするライン照明装置。
【請求項５】
請求項１乃至請求項４に記載のライン照明装置と、ラインイメージセンサと、原稿からの反射光または透過光を前記ラインイメージセンサに収束させるためのロッドレンズアレイとを筺体に組み込んだことを特徴とする画像読取装置。
【発明の詳細な説明】
【０００１】
【発明の属する技術分野】
本発明は、ライン照明装置及びそれを組み込んだ密着型の画像読取装置（イメージセンサ）に関する。
【０００２】
【従来の技術】
密着型イメージセンサは、ファクシミリ装置、複写機、イメージスキャナ装置等で原稿を読み取るための装置として用いられている。この密着型イメージセンサは、原稿面を主走査範囲に亘って線状に照明するライン照明装置を備えている。
【０００３】
ライン照明装置はケース内に棒状導光体を収納し、光源（ＬＥＤ）からの光を棒状導光体内に導入し、棒状導光体内で反射させながらケースから露出する棒状導光体の長手方向に沿って設けた出射面から原稿面に向けて出射するようにしている。（特許文献１、２）
また、光源についてはケースの一端側のみに設けたタイプと、ケースの両端に設けたタイプがある。
【０００４】
【特許文献１】
特開平８−１６３３２０号公報
【特許文献２】
特開平１０−１２６５８１号公報
【０００５】
【発明が解決しようとする課題】
従来のライン照明装置のうち、光源を一端側のみに設けたタイプにあっては、光量が不足しがちで、且つ主走査方向に沿った照明強度が不均一になりやすい。このため、散乱パターンを形成しているが、完全に不均一性を解消することは困難である。
【０００６】
一方、光源を両端部に設けたタイプにあっては、熱膨張に起因する問題が発生する。即ち、密着型イメージセンサなどは駆動時にはかなり高温になり、停止持には室温付近まで冷却される。一方、ケースの材料は通常ポリカーボネイトを用い、導光体の材料はアクリルを用いている。そのため、ケースと導光体との間には両者の熱膨張率の差に起因する相対的な伸縮が繰り返され、導光体の寸法がケースよりも縮んでしまい、導光体端面と光源との間に隙間が生じ、光源で発生した光の一部が漏れてしまう不利がある。
【０００７】
【課題を解決するための手段】
上記課題を解決するため本願の第１発明（請求項１）は、照明装置のケースの両端に光源を取り付けるとともに、ケースを長手方向に方向に分割（例えば２分割）した。
このようにケースを分割し、分割したケース間に隙間を設けることで、導光体の伸縮に伴ってケースも一体的に伸縮することになり、導光体端面に光源が密着した状態を維持できる。
分割したケースは単純に離間してもよいが、互いに摺動可能に印籠嵌合せしめれば、導光体からの光の漏洩を防止できる。
【０００８】
また本願の第２発明（請求項３）は、照明装置のケースの両端に光源を取り付けるとともに、これら光源をケースに一体的に形成した弾発部によって導光体端面に圧接するように支持した。
この場合、導光体の端部は収縮量を見込んだ分だけ予めケース端部から突出せしめておくことが好ましい。
【０００９】
また本願の第３発明（請求項４）は、照明装置のケースの一端では従来通り光源をケースに取り付け、他端では導光体の端面に直接固着する構成とした。尚、両端とも直接固着してもよい。
固着の方法としては、例えば導光体の端面に凸部を設け、この凸部に光源を嵌めつける方法などが考えられる。
【００１０】
【発明の実施の形態】
以下に本発明の実施の形態を添付図面を参照して説明する。図１は本発明に係るライン照明装置を組み込んだ画像読取装置の断面図、図２は本発明に係るライン照明装置の斜視図、図３は同ライン照明装置の端部の分解斜視図、図４はケースの中間部分の断面図である。
【００１１】
図１に示すように画像読取装置は、フレーム（筺体）１に各凹部１ａ，１ｂを形成し、凹部１ａにライン照明装置１０を配置し、また凹部１ｂに光電変換素子（ラインイメージセンサ）３を備えたセンサ基板４を取り付け、更にフレーム１内に等倍結像用のロッドレンズアレイ５を保持している。フレーム１の上部にはガラス板２が設けられている。そして、ライン照明装置１０の出射面１１ａから出射した光がガラス板２を通して原稿Ｇに当てられ、原稿Ｇからの反射光をロッドレンズアレイ５を介して光電変換素子（ラインイメージセンサ）３にて検出することで原稿Ｇを読み取る。ガラス板２に対してフレーム１を、図２の副走査方向に移動させて原稿Ｇの所望の領域の読み取りを行う。
【００１２】
図２に示すようにライン照明装置１０は、アクリル樹脂などからなる導光体１１をポリカーボネイトなどからなる白色の導光体ケース１２に出射面１１ａが露出するように装填し、またケース１２の両端には光源として発光素子（例えば発光ダイオード）１３を導光体１１の端面に隙間なく当接する状態で取り付けている。
【００１３】
前記導光体１１の裏面には、入射した光源からの光を散乱させるための光散乱パターン１１ｂが形成され、この光散乱パターン１１ｂで散乱した光が前記出射面１１ａから出射する。
【００１４】
図３に示すように、前記ケース１２端部には３本のピンＰ１、Ｐ２、Ｐ３が形成され、ピンＰ１とＰ２は対向する位置に形成されるとともに同径とされ、ピンＰ３はピンＰ１に隣接する位置に形成されるとともにピンＰ１、Ｐ２よりも小径とされている。
一方、発光素子１３には前記ピンに対応する３個の穴Ｈ１、Ｈ２、Ｈ３が形成され、穴Ｈ１、Ｈ２がピンＰ１、Ｐ２に対応し、穴Ｈ３がピンＰ３に対応して小径とされ、ピンＰ１、Ｐ２は入らない。したがって誤組が防止される。
【００１５】
また、図４に示すように、前記ケース１２は長手方向に２分割され、それぞれの分割体１２ａ間に隙間１４を形成している。このように、隙間を形成することで、加熱冷却が繰り返された際に導光体１１が縮んでも隙間１４が形成されているため、ケースの分割体１２ａも導光体１１と一体的に縮み、導光体１１端面と発光素子１３との当接状態は維持されたままとなる。
【００１６】
図５は別実施例を示す図４と同様の図であり、この実施例では左右の分割体１２ａ、１２ａを印籠嵌合することで、導光体１１が露出しないようにしている。
【００１７】
図６はケースではなく、発光素子１３の取り付け部に工夫を凝らして熱膨張率の差に起因する導光体１１端面と発光素子１３との剥離を防止したものであり、ケース１２の端部に一体的に弾発部１５を形成し、この弾発部１５にて常時発光素子１３を導光体１１端面に圧接せしめるようにしている。
この実施例の場合には、導光体１１の縮み量を見越した寸法（ｔ）だけ、ケース１２の端部から導光体１１を突出させておく。
【００１８】
図７も発光素子１３の取り付けに変更を加えた実施例であり、この実施例にあっては、ケース１２にピンを設けず、導光体１１にピンＰ１〜Ｐ３を一体的に設け、発光素子１３を直接導光体１１の端面に取り付けるようにしている。尚、図６及び図７に示した実施例の場合、ライン照明装置の一方の端部のみ、上記の構造とし、他端側は従来の取り付け構造のままとしてもよい。
【００１９】
【発明の効果】
以上に説明したように本発明によれば、異なる材料からなるケースと導光体とからなるライン照明装置であっても、ケースを長手方向に２分割するか、発光素子を弾発部で常時導光体の端面に押し付けるか、或いは導光体の端面に直接発光素子を取り付けるようにしたので、加熱と冷却が多数回繰り返され、導光体がケースに対して縮んでも発光素子と導光体端面との接触状態は維持され、効果的に光を導光体内に導くことができる。
【図面の簡単な説明】
【図１】本発明に係るライン照明装置を組み込んだ画像読取装置の断面図
【図２】本発明に係るライン照明装置の斜視図
【図３】同ライン照明装置の端部の分解斜視図
【図４】ケースの中間部分の断面図
【図５】別実施例を示す図４と同様の図
【図６】ケースに弾発部を設けた別実施例の要部を示す図
【図７】導光体に直接発光素子を取り付けた別実施例の要部を示す図
【符号の説明】
１…フレーム、１ａ，１ｂ…凹部、１０…ライン照明装置、１１…導光体、１１ａ…出射面、１２…ケース、１２ａ…ケースの分割体、１３…発光素子、１４…隙間、１５…弾発部、Ｇ…原稿、Ｐ１、Ｐ２、Ｐ３…ピン、Ｈ１、Ｈ２、Ｈ３…穴、
【図１】
2004146870.tif 000003
【図２】
2004146870.tif 000004
【図３】
2004146870.tif 000005
【図４】
2004146870.tif 000006
【図５】
2004146870.tif 000007
【図６】
2004146870.tif 000008
【図７】
2004146870.tif 000009